(57)【要約】【課題】シナリオに基づいて作成された画像作品を効率良く再生可能にすることを目的とする。【解決手段】制御部１０８は、シナリオに基づいて作成された複数のシーンと各シーンにそれぞれ関連付けられたテイクの画像データとを含む画像作品の再生開始が指示された場合、画像作品が完成した画像作品であるか判定し、画像作品が完成した画像作品であると判定されなかったときには、画像作品で最後に作成されたシーンのテイクの画像データから再生を開始させる。【選択図】図１
2016111437.tif 000002
【特許請求の範囲】
【請求項１】
シナリオに基づいて作成された複数のシーンと各シーンにそれぞれ関連付けられた画像データとを含む画像作品の再生開始が指示された場合、前記画像作品の完成状況を判断する判断手段と、
前記判断手段により判断された前記画像作品の完成状況に応じて、前記画像作品から再生するシーンを決定して、前記決定したシーン内の画像データの再生を開始する制御手段と
を有する画像再生装置。
【請求項２】
前記判断手段は、前記完成状況として前記画像作品が完成されていない未完成の状態であるか判断し、
前記制御手段は、前記判断手段により前記画像作品が未完成の状態であると判断された場合、前記画像作品で最後に作成されたシーンを前記再生するシーンとして決定して、前記決定したシーン内の画像データから再生を開始する請求項１記載の画像再生装置。
【請求項３】
前記判断手段は、前記シナリオに基づいて作成される各シーンのなかに画像データが関連付けられていないシーンが存在する場合に前記画像作品が未完成の状態であると判断する請求項２記載の画像再生装置。
【請求項４】
前記判断手段は、前記完成状況として前記画像作品が完成された状態であるか判断し、
前記制御手段は、前記判断手段により前記画像作品が完成された状態であると判断された場合、前記画像作品の先頭のシーンの先頭の画像データから再生を開始する請求項１乃至３の何れか１項に記載の画像再生装置。
【請求項５】
前記判断手段は、前記画像作品を構成している全てのシーンに画像データが関連付けられている場合に、前記画像作品が完成した状態であると判断する請求項４記載の画像再生装置。
【請求項６】
前記判断手段は、前記画像作品に完成フラグが付加されている場合に、前記画像作品が完成された状態であると判断する請求項４記載の画像再生装置。
【請求項７】
前記判断手段は、前記画像作品の各シーンにそれぞれ関連付けられた画像データの数が、前記シナリオに基づいてシーンごとに予め決められている数にそれぞれ達している場合、前記画像作品が完成された状態であると判断する請求項４記載の画像再生装置。
【請求項８】
前記判断手段は、前記画像作品で最後に作成されたシーンの画像データの作成の日時と、現在の日時とを比較し、その比較の結果が所定の条件を満たしているとき、前記画像作品が完成された状態であると判断する請求項４記載の画像再生装置。
【請求項９】
シナリオに基づいてシーンの作成が行われているときのシーンを判別する判別手段を更に有し、
前記制御手段は、前記画像作品を構成する各シーンのなかで、前記判別手段が判別したシーンと同じシーンを、前記完成状況に応じたシーンとして決定する請求項１記載の画像再生装置。
【請求項１０】
前記制御手段は、前記画像作品を構成する各シーンのなかに、前記判別手段が判別したシーンと同じシーンが存在しない場合、前記判別手段が判別したシーンに対して前記シナリオに基づく前又は後のシーンを、前記完成状況に応じたシーンとして決定する請求項９記載の画像再生装置。
【請求項１１】
シナリオに基づいて作成された複数のシーンと各シーンにそれぞれ関連付けられたテイクの画像データとを含む画像作品を再生する画像再生装置の制御方法であって、
前記画像作品の再生開始が指示された場合、前記画像作品の完成状況を判断する判断ステップと、
前記判断ステップにより判断された前記画像作品の完成状況に応じて、前記画像作品から再生するシーンを決定して、前記決定したシーン内の画像データの再生を開始する制御ステップと
を含む画像再生装置の制御方法。
【請求項１２】
シナリオに基づいて作成された複数のシーンと各シーンにそれぞれ関連付けられた画像データとを含む画像作品の再生を指示する指示手段と、
画像作品の再生が指示された場合に、再生を指示された画像作品が完成している場合には、該画像作品に関連付けられた画像のうち、先頭のテイクとして関連付けられた画像から再生を開始し、該画像作品に関連付けられた順序情報に基づいて順次画像を再生するように制御し、
画像作品の再生が指示された場合に、再生を指示された画像作品が完成していない場合には、該画像作品に関連付けられた画像のうち、最後に撮影されたシーンに関連づけられた画像を再生するように制御する制御手段と
を有する画像再生装置。
【請求項１３】
シナリオに基づいて作成された複数のシーンと各シーンにそれぞれ関連付けられた画像データとを含む画像作品の再生を指示する指示ステップと、
画像作品の再生が指示された場合に、再生を指示された画像作品が完成している場合には、該画像作品に関連付けられた画像のうち、先頭のテイクとして関連付けられた画像から再生を開始し、該画像作品に関連付けられた順序情報に基づいて順次画像を再生するように制御し、
画像作品の再生が指示された場合に、再生を指示された画像作品が完成していない場合には、該画像作品に関連付けられた画像のうち、最後に撮影されたシーンに関連づけられた画像を再生するように制御する制御ステップと
を含む画像再生装置の制御方法。
【請求項１４】
コンピュータを、請求項１乃至１０、１２の何れか１項に記載された画像再生装置の各手段として機能させるためのプログラム。
【請求項１５】
請求項１４記載のプログラムを記憶したコンピュータが読み取り可能な記憶媒体。
【発明の詳細な説明】
【技術分野】
【０００１】
本発明は、画像再生装置、画像再生装置の制御方法及びプログラムに関する。
【背景技術】
【０００２】
従来、予め決められたシナリオ（筋書き）に基づいて撮影された画像からなる作品を、そのシナリオに基づいて再生する技術として、特許文献１に記載の技術が知られている。この特許文献１に記載の映像撮影装置は、作品の観賞がなされる際、シナリオに基づいて先頭シーンのテイクから順次再生を行う。このとき、不要なテイクがあれば、設定に応じて、その不要テイクが省かれて再生される。
【先行技術文献】
【特許文献】
【０００３】
【特許文献１】特開２００６−７４４０６号公報
【発明の概要】
【発明が解決しようとする課題】
【０００４】
しかしながら、作成する作品の撮影進捗状況、さらにはカメラモードでのシナリオ撮影シーンの状況によっては、ユーザが再生したいテイクは異なる。このような場合、ユーザは、作品に含まれる多くのテイクの中から所望のテイクを探さなければならない。このように、多くのテイクの中から所望のテイクを探し出す作業は、ユーザにとって非常にわずらわしい作業であり、したがって、効率よく所望のテイクを探し出せる技術の開発が望まれている。
【０００５】
そこで、本発明は、シナリオに基づいて作成された画像からなる作品を効率良く再生可能とすることを目的とする。
【課題を解決するための手段】
【０００６】
本発明の画像再生装置は、シナリオに基づいて作成された複数のシーンと各シーンにそれぞれ関連付けられた画像データとを含む画像作品の再生開始が指示された場合、前記画像作品の完成状況を判断する判断手段と、前記判断手段により判断された前記画像作品の完成状況に応じて、前記画像作品から再生するシーンを決定して、前記決定したシーン内の画像データの再生を開始する制御手段とを有する。
【発明の効果】
【０００７】
本発明によれば、シナリオに基づいて作成された画像からなる作品を効率良く再生可能となる。
【図面の簡単な説明】
【０００８】
【図１】画像記録再生装置の一構成例を示す図である。
【図２】シナリオ撮影モードでの撮影と画像作品の説明に用いる図である。
【図３】第１の実施形態における画像再生制御の説明に用いる図である。
【図４】第２の実施形態における画像再生制御の説明に用いる図である。
【発明を実施するための形態】
【０００９】
＜第１の実施形態＞
図１は、画像再生装置の一例である本実施形態の画像記録再生装置１００の構成例を示す図である。図１において、撮影レンズ１１０は、撮像素子１０１の受光面上に光学像を結像させる。撮像素子１０１は、受光面上に結像された光学像を撮像信号に変換する。カメラ信号処理回路１０２は、撮像素子１０１から出力されたアナログ信号をデジタル信号に変換するＡ／Ｄ変換処理、所定の画素補間処理や色変換処理などを行う。画像信号処理回路１０５は、適応離散コサイン変換（ＡＤＣＴ）等により画像データの圧縮伸長を行う。具体的には、画像信号処理回路１０５は、メモリ１０９に格納された画像データを読み込んで圧縮処理し、その圧縮処理後の画像データをメモリ１０９へ書き込む。また、画像信号処理回路１０５は、圧縮された画像データをメモリ１０９から読み出して伸長処理し、その伸長処理後の画像データをメモリ１０９へ書き込む。
【００１０】
メモリ１０９は、撮影した静止画像や動画像のデータを格納するための高速書き込みと読み出しが可能なメモリであり、所定枚数の静止画像や所定時間の動画像のデータを格納するのに十分な記憶量を備えている。これにより、高フレームレートでの動画撮影や複数枚の静止画像を連続して撮影する連写撮影の場合にも、高速且つ大量の画像データをメモリ１０９に保存することができる。また、メモリ１０９は、制御部１０８の作業領域や記録媒体１０７の書き込みバッファとしても使われる。記録媒体１０７は、メモリカードやハードディスク、フラッシュメモリ等の記録媒体である。また、記録媒体１０７は、半導体メモリや磁気ディスク等から構成される記録部、画像記録再生装置１００とのインタフェース回路、画像記録再生装置１００と接続を行うコネクタ等を備えている。また、記録媒体１０７は、ＰＣＭＣＩＡ規格のＰＣカードやメモリカード等である場合には、性能が記されている情報記憶回路を内蔵している。記録媒体Ｉ／Ｆ１０６は、記録媒体１０７との間のインタフェース部である。また、記録媒体Ｉ／Ｆ１０６は、記録媒体１０７と接続するためのコネクタを備えている。画像表示メモリ１０３は、ディスプレイ表示用の画像データが展開されるメモリである。画像表示メモリ１０３に展開されたディスプレイ表示用の画像データは、図示しないＤ／Ａ変換器を介してアナログ画像信号に変換されて表示部１０４へ送られる。
【００１１】
表示部１０４は、例えばＴＦＴ型の液晶ディスプレイ等からなり、ディスプレイ画面上に画像等を表示する。表示部１０４は、電子ファインダや、記録画像の表示、各種情報の表示に使用可能である。例えば、撮像素子１０１により撮像されてカメラ信号処理回路１０２と画像表示メモリ１０３を介した画像データを表示部１０４に逐次表示した場合、この表示部１０４は、電子ファインダとして機能することになる。また、表示部１０４は、例えば記録媒体１０７から読み出された画像データやメモリ１０９から読み出された画像データが表示された場合、この表示部１０４は、記録画像の再生表示機能を実現する。また、制御部１０８でのプログラムの実行に応じて文字や画像等を用いた動作状態の表示やメッセージ等が表示された場合、この表示部１０４は、各種情報表示機能を実現する。表示部１０４が電子ファインダとして使用される場合の表示内容は、絞り値表示、露出補正表示、フラッシュの発光／非発光の設定表示、マクロ撮影表示、ブザー設定の表示、電池残量表示、エラー表示、記録媒体１０７の着脱状態表示等がある。また、表示部１０４は、制御部１０８の制御によりその表示をＯＮ／ＯＦＦすることが可能であり、表示をＯＦＦにした場合には、画像記録再生装置１００の電力消費を大幅に低減することが出来る。また、表示部１０４は、回転可能なヒンジ部によって画像記録再生装置１００本体と結合されており、その表示面を、自由な向き、角度にすることが可能となされている。また、表示部１０４は、そのディスプレイ表示面を画像記録再生装置１００に向けて格納することが可能であり、この場合は表示部１０４の表示動作を停止することが出来る。
【００１２】
制御部１０８は、画像記録再生装置１００全体を制御する。制御部１０８は、その内部にＣＰＵ１２０と不揮発性メモリ１２１、システムメモリ１２２を有している。不揮発性メモリ１２１は、ＲＯＭからなり、プログラムや各種設定情報等を記憶している。システムメモリ１２２は、ＲＡＭからなり、ＣＰＵ１２０が各種制御や演算を行う際のワークメモリである。制御部１０８のＣＰＵ１２０は、不揮発性メモリ１２１に記録されたプログラムをシステムメモリ１２２に展開して実行することで、本実施形態の後述するシナリオ撮影モードを含む各動作モードでの制御処理やフローチャートに示した各制御処理を実現する。ここでいう、プログラムとは、本実施形態の後述する各フローチャートの制御処理や各種演算等を実行するためのプログラムのことである。
【００１３】
操作部１１１は、本実施形態の画像記録再生装置１００の使用者による各種の操作指示入力を、制御部１０８へ伝えるためのインターフェイスデバイスである。具体的には、操作部１１１は、スイッチやダイアル、タッチパネル、視線検知によるポインティング、音声認識装置等の単数或いは複数の組み合わせで構成される。使用者による操作指示入力に応じて操作部１１１から出力される操作入力信号は、制御部１０８へ送られる。制御部１０８は、操作入力信号から使用者による操作指示を認識し、その認識結果に基づいて画像記録再生装置１００の各種動作等を制御する。具体的には、制御部１０８は、画像記録再生装置１００の電源オン／オフ制御や、画像記録再生装置１００の各種動作モードに応じた制御を行う。動作モードは、例えば、撮影モード、再生モード、マルチ画面再生・消去モード、ＰＣ接続モード等がある。制御部１０８は、これらの各種の動作モードの切り替えと設定等を行う。本実施形態の場合、撮影モードは、自動撮影モードや後述するシナリオ撮影モードを含む複数の撮影モード（カメラモード）からなる。また制御部１０８は、再生開始／終了制御、メニュー選択制御、セットボタン、マクロ機能の制御、マルチ画面再生改ページ制御、フラッシュ設定制御、単写／連写／セルフタイマー切り替え制御、メニュー移動のプラス（＋）／マイナス（−）制御等を行う。また制御部１０８は、再生画像移動プラス（＋）／マイナス（−）制御、撮影画質選択制御、露出補正制御、日付／時間設定制御等を行う。また制御部１０８は、各種機能の選択及び切り替えを設定する選択／切り替え制御、各種機能の決定及び実行を設定する決定制御を行う。また制御部１０８は、表示部１０４のＯＮ／ＯＦＦを設定する表示制御、撮影直後に撮影した画像データを自動再生するクイックレビュー機能を設定するクイックレビューＯＮ／ＯＦＦ制御を行う。その他にも制御部１０８は、撮影時にズームと広角を調節するか或いは再生時に拡大／縮小を調節する際の１画面表示／マルチ画面表示を切り替えるズーム制御を行う。
【００１４】
以下、本実施形態の画像記録再生装置１００における動作モードのうち、シナリオ撮影モードについて説明する。画像記録再生装置１００は、自動撮影モード（オート撮影モード）やシナリオ撮影モードを含む複数の撮影モードで動作可能となされている。シナリオ撮影モードは、予め用意された複数のシナリオの中から使用者が所望のシナリオを選択したとき、その選択されたシナリオに沿った各シーンの撮影がなされるように、使用者にシーンの候補を提示することで、使用者の撮影を補助する撮影モードである。以下、本実施形態では、シナリオ撮影モードにおいて予め用意されているシナリオを、テーマと表記することにする。制御部１０８は、シナリオ撮影モードにおいてテーマに沿って作成された画像ファイル、すなわちテーマに沿って撮影された画像ファイルを、画像作品として管理する。画像作品は、テーマと、そのテーマ内のシーンと、そのシーン内のテイクとで構成される。シナリオ撮影モードでは、そのテーマに関連付けるシーンの設定が切り替えられながら使用者へのシーン候補の提示が行われ、そのシーン候補の提示に応じた撮影がなされることにより、そのテーマに関連した各シーンに必要なテイクが撮影されることになる。本実施形態では、シナリオ撮影モードのテーマとして、例えば「旅行」や「学校行事」、「ホビー」などの名前が付けられた複数のテーマが予め用意されている。また本実施形態では、例えば「旅行」のテーマに関連付けられるシーンとしては、「おはよー」「今日の天気」「いざ出発」「看板を撮ろう」「ドキドキ」「あいさつ」「おわりに」などの名前が付けられたシーンが予め用意されている。例えば「旅行」のテーマに関連した各シーン候補は、旅行等に出かけた際に各シーンの名前に即した撮影対象等の撮影がなれたならば、後にその画像を視聴等した場合に、旅行の雰囲気や楽しさ等を視聴者に伝えやすいと考えられる各シーンとして設定されている。具体的には、「旅行」のテーマに関連付けられたシーン候補の一例として、「今日の天気」の名前が付けられたシーン候補は、旅行中の天気がわかるシーンを撮影しておくことが望ましいことを、使用者に提示するために用意されている。図２(ａ)は、「旅行」のテーマに関連付けられたシーンとして、「今日の天気」のシーンを撮影するのが望ましいことを、使用者に提示している際の表示部１０４の画面２００（電子ファインダ画面）の一例を示す図である。この図２（ａ）の画面２００には、現在撮影しようとしているシーンを示す「今日の天気」のシーン名２０１が表示されている。
【００１５】
以下、シナリオ撮影モードが設定された場合の本実施形態の画像記録再生装置１００の動作を説明する。本実施形態において、操作部１１１の操作を介して使用者からシナリオ撮影モードのスタート指示が入力されると、制御部１０８は、シナリオ撮影モードでの制御を開始する。シナリオ撮影モードの制御を開始すると、制御部１０８は、先ず、表示部１０４の画面上に、予め用意されている複数のテーマ（シナリオ）の選択画面を表示させる。次に、テーマ選択画面に表示された複数のテーマの中から、使用者の選択により何れかのテーマが選択されると、制御部１０８は、そのテーマに関連付けられた複数のシーン候補の選択画面を、表示部１０４に表示させる。そして、シーン選択画面に表示された複数のシーン候補の中から、使用者の選択により何れかのシーン候補が選択されると、制御部１０８は、画像記録再生装置１００の各部を撮影待機状態に設定し、また、表示部１０４に撮影待機画面を表示させる。そして、シーン候補が選択された状態で、操作部１１１の操作を介して使用者から撮影開始の指示が入力されると、制御部１０８は、画像記録再生装置１００の各部を制御して動画像の撮影を行わせる。その後、操作部１１１の操作を介して使用者から撮影停止の指示が入力されると、制御部１０８は、動画像撮影により得られた画像データを、そのシーンにおけるテイクの画像ファイルとして、記録媒体１０７へ記録させる。次に、制御部１０８は、再び使用者から撮影開始指示が入力されると、動画像の撮影を行わせ、その後、撮影停止指示が入力されると、このときの動画撮影により得られた画像データを、そのシーンにおける次のテイクの画像ファイルとして記録させる。以下、別のシーン候補の選択、又は、別のテーマの選択、或いはシナリオ撮影モード自体が停止されるまで、制御部１０８は、同様の制御を行う。別のシーン候補の選択が行われた状態で、前述のように動画像の撮影が行われた場合、制御部１０８は、その動画像の撮影により得られた画像データを、その選択されたシーンにおけるテイクの画像ファイルとして記録させる。別のテーマの選択がなされた場合には、制御部１０８は、その選択されたテーマに関連したシーンの撮影及び記録のための制御を行うことになる。
【００１６】
また、シナリオ撮影モードにおいて、制御部１０８は、記録媒体１０７に画像ファイルを記録する際、又は、記録媒体１０７から画像ファイルを再生する際には、テーマ別に画像ファイルを管理している。具体的には、制御部１０８は、各テイクの画像ファイルを、テーマとそのテーマ内の各シーンに関連付けて管理している。以下、図２（ｂ）を参照して、例えば「旅行」のテーマとそのテーマに関連付けられた各シーンとそれら各シーンに関連付けられた各テイクの画像ファイルを、制御部１０８が管理する際の管理データの構成を説明する。管理データは、テーマのテーマ名情報２１１と、そのテーマに関連した各シーン情報２１２と、各シーンに関連した各テイク情報２１３とを有して構成されている。すなわち、制御部１０８は、各テーマを、それぞれ個別に付けられたテーマ名情報２１１により管理する。また、制御部１０８は、テーマ名情報２１１のテーマに関連した各シーンを、それぞれシーン情報２１２により管理する。そして、制御部１０８は、各シーンに関連した各テイクの画像ファイルを、それぞれテイク情報２１３により管理する。なお、図２（ｂ）は、テーマ名情報２１１が「旅行」となっている例を挙げている。この「旅行」のテーマには、前述したような例えば「おはよー」〜「おわりに」までの各シーンに対応した各シーン情報２１２が関連付けられている。そして、これら各シーンには、「テイク１」〜「テイク１２」までの各テイクの画像ファイルに対応したテイク情報２１３が関連付けられている。また、制御部１０８は、各シーン情報２１２のうち、テイク情報２１３が関連付けられていないシーン情報２１２が存在した場合、すなわちテイクの画像ファイルが記録されていないシーンが存在した場合、そのシーンには未撮影情報２１５を関連付けて管理する。図２（ｂ）の例の場合、未撮影情報２１５は、「看板を撮ろう」「あいさつ」のシーンに対して関連付けられている。制御部１０８は、図２（ｂ）に示すような構成の管理データを用いて、記録媒体１０７で記録／再生される画像ファイルを、テーマ別に管理し、また各テーマ内のシーン毎に管理している。制御部１０８が画像ファイルの管理に用いる管理データは、不揮発性メモリ１２１に記憶されてもよいし、画像ファイルが記録される記録媒体１０７に記録されていてもよい。また、制御部１０８は、記録媒体１０７に記録される画像ファイルの記録場所については例えばファイルパスを用いて管理している。この図２（ｂ）に示すように、管理データは、各テーマ別に、そのテーマ内の各シーンの構成状態及びそれら各シーン内の各テイクの構成状態を表した作品構成情報としての機能を有している。言い換えると、作品構成情報は、テーマ内の各シーン及び各シーン内の各テイクの構成状態を表しているため、テーマの画像作品の撮影進捗状況を表すことができる順序情報になっている。したがって、例えばテーマの画像作品内の画像ファイルの再生がなされるような場合、制御部１０８は、作品構成情報から撮影進捗状況を参照することにより、画像ファイルの再生順序を決めることができる。
【００１７】
また、シナリオ撮影モードによる撮影が行われた場合、制御部１０８は、テーマ毎に、各テーマで最後に撮影したときのシーンの設定状態を表す情報を、不揮発性メモリ１２１に記憶している。具体的には、図２（ｂ）の「旅行」をテーマとする撮影が行われている例において、「今日の天気」のシーンのテイク５が撮影された後の撮影待機状態のときに、使用者から撮影終了の操作指示が入力されて撮影が終わったとする。この場合、制御部１０８は、「今日の天気」のシーンの撮影待機状態で撮影が終わったことを示すシーン設定情報を、不揮発性メモリ１２１に記憶する。シーン設定情報は、テーマ別に記憶されるため、例えば、他のテーマにおいて、或るシーンの撮影待機状態のときに撮影が終わった場合にも同様にシーン設定情報が記憶されることになる。また、シーン設定情報は、シーンの撮影待機状態においてテイクの撮影が行われなかった場合にも、不揮発性メモリ１２１へ記録される。このシーン設定情報は、後述するように、画像作品の再生が行われる際に、その画像作品内の複数のシーンの中から再生されるシーンを決定して、そのシーンのテイクから再生を開始する制御の際に用いられる。
【００１８】
以下、管理データを基にして、記録媒体１０７に記録された画像ファイルを読み出して表示部１０４の画面上に表示する場合の本実施形態の画像記録再生装置１００の動作を説明する。ここで、画像ファイルの再生表示は、撮影が完了している完成テーマの画像作品を表示する場合と、撮影が完了していない未完成テーマの画像作品を再生する場合の二通りが考えられる。完成テーマの画像作品としては、一例として、使用者が撮影すべきと判断した全てのシーンの撮影が完了した画像作品を挙げることができる。このような完成テーマの画像作品の再生表示は、その画像作品を最初（先頭）から視聴する目的で行われると考えられる。また、未完成テーマの画像作品としては、一例として、使用者が撮影すべきと判断した全てのシーンの撮影のうち、何れか一つでも未だ撮影が行われていないシーンが存在する画像作品を挙げることができる。未完成テーマの画像作品の再生表示は、例えば、未撮影のシーンを撮影するために、撮影済みのシーンのテイクを再生することで何れのシーンから撮影を再開すべきか使用者が判断する際などに行われると考えられる。この場合、使用者は、未完成テーマの画像作品内に含まれる多くのテイクの中から、次の撮影に役立つテイクを探し出して再生することになる。本実施形態おいては、これら完成テーマや未完成テーマの画像作品を再生する場合、制御部１０８は、前述した管理データ（作品構成情報）から撮影進捗状況を参照することで、各画像ファイルの再生順序を制御して順次画像を再生させる。
【００１９】
第１の実施形態として、図３（ａ）のフローチャートを参照しながら、画像作品の撮影進捗状況と撮影モードの設定シーンに応じて、制御部１０８が、画像作品の中から適切なシーンを決定し、そのシーンのテイクの再生を開始する際の制御の流れを説明する。先ず、制御部１０８は、使用者からのモード操作指示入力に応じて本実施形態の画像記録再生装置１００を再生モードにすると、管理データから得られる作品構成情報をメモリ１０９に展開する。次に、制御部１０８は、作品構成情報に基づいて、テーマ毎の各画像作品を表示部１０４の画面上に表示させる。図３（ｂ）は、テーマ毎の画像作品を一覧表示するインデックス画面の表示例を示す図である。この図３（ｂ）の例は、画像作品を示す各サムネイルとして「ホビー」のサムネイル３０１，「旅行」のサムネイル３０２，「学校行事」のサムネイル３０３が一覧表示されたギャラリーインデックス３００が表示されている。このようなインデックス表示がなされている状態で、制御部１０８は、使用者による選択指示入力により、何れかの画像作品のサムネイルの選択がなされると、制御処理をステップＳ３０１へ進める。ステップＳ３０１では、制御部１０８は、使用者により再生開始の操作指示が入力されたか判断する。そして、制御部１０８は、ステップＳ３０１において、再生開始の操作指示が入力されたと判断すると、制御処理をステップＳ３０２へ進める。ステップＳ３０２以降では、制御部１０８は、以下に説明するように、作品構成情報に基づく再生順序で、その画像作品の各画像ファイルを記録媒体１０７から読み出して表示部１０４に再生映像を表示する。
【００２０】
ステップＳ３０２では、制御部１０８は、画像作品（テーマ）の完成状況を判断する。すなわち、制御部１０８は、画像作品が完成した状態であるか、未完成の状態であるかの何れの完成状況になっているかを判断する。ここで、画像作品の一例として図２（ｂ）に示したテーマが「旅行」の画像作品を例に挙げた場合、この画像作品は、「看板を撮ろう」「あいさつ」のシーンに未撮影情報２１５が関連付けられている。このように未撮影情報２１５が関連付けられたシーンが存在する場合、制御部１０８は、この画像作品は未完成テーマの画像作品であると判断する。そして、ステップＳ３０２で未完成テーマであると判断した場合、制御部１０８は、制御処理をステップＳ３０４へ進める。一方、制御部１０８は、ステップＳ３０２において、例えばテーマ内の全てのシーンに対して最低１個のテイクが記録されている場合には、この画像作品は完成テーマであると判断する。そして、ステップＳ３０２で完成テーマであると判断した場合、制御部１０８は、制御処理をステップＳ３０３へ進める。
【００２１】
ステップＳ３０３では、制御部１０８は、そのテーマの画像作品内の先頭シーンの先頭テイクから再生を開始する。図２（ｂ）の例を挙げると、先頭シーンである「おはよー」のシーン内の先頭のテイク１から再生を開始する。このテイク１の再生後、制御部１０８は、その後は、テイク２，テイク３，テイク４，・・・の順、すなわちこの画像作品の作品構成情報に基づく再生順序で各テイクを順次再生させる。そして、この画像作品内の全てのシーンの全てのテイクの再生が終わると、制御部１０８は、この図３（ａ）のフローチャートの制御処理を終了する。
【００２２】
ここで、完成しているテーマの再生は、使用者がその画像作品を最初から視聴することを目的として行われると想定できる。このため、本実施形態において、制御部１０８は、完成テーマの画像作品である場合には、その完成テーマの先頭シーンの先頭テイクからシナリオに沿って順に画像ファイルを再生させる。これにより、本実施形態の画像記録再生装置によれば、使用者は、その完成テーマの先頭シーンの先頭テイクの再生指示を入力する操作、つまりそのテーマの頭出し操作をする必要がなくなる。すなわち、本実施形態の画像記録再生装置は、完成テーマの再生の際に、そのテーマの頭出し操作を必要としない、使用者にとって使い勝手のよい操作性を実現可能である。
【００２３】
一方、ステップＳ３０４では、制御部１０８は、このテーマの画像作品において前述のように最後に撮影待機状態となされていたシーンを検出する。この場合、制御部１０８は、先ず、不揮発性メモリ１２１に記憶しているシーン設定情報を参照することにより、最後に撮影待機状態になっていたシーンを検出する。例えば前述の図２（ｂ）の例の「今日の天気」のシーンのテイク５が撮影された後の撮影待機状態で撮影が終わったとする。この場合、制御部１０８は、不揮発性メモリ１２１のシーン設定情報により、「今日の天気」のシーンの撮影待機状態で撮影が終えられたと認識する。このステップＳ３０４の後、制御部１０８は、制御処理をステップＳ３０５へ進める。
【００２４】
ステップＳ３０５では、制御部１０８は、ステップＳ３０４で検出されたシーンに属するテイクが存在するか判定する。そして、ステップＳ３０４において、該当するシーンに属するテイクが存在すると判定した場合、制御部１０８は、制御処理をステップＳ３０６へ進める。一方、ステップＳ３０４において、そのシーンに属するテイクが存在しないと判定した場合、制御部１０８は、制御処理をステップＳ３０７へ進める。
【００２５】
ステップＳ３０６では、制御部１０８は、該当するシーンの先頭のテイクから再生を開始し、シナリオの順序に従った再生がなされるように制御する。すなわち、制御部１０８は、未完成の状態となっている画像作品の各シーンのうち、最後の撮影待機状態となっていたシーンの先頭のテイクから再生を開始させる。例えば、図２（ｂ）の「今日の天気」のシーンを例に挙げると、制御部１０８は、このシーンに属している先頭のテイク４から再生を開始させ、テイク４の再生が終わると次のテイク５の再生を開始させる。そして、このシーンに属する全てのテイクの再生が終わる（図２（ｂ）の「今日の天気」のシーンの例の場合はテイク５の再生が終わる）と、制御部１０８は、この図３（ａ）のフローチャートの制御処理を終了する。
【００２６】
ここで、未完成テーマの再生は、使用者がそのテーマの画像作品の完成を目指して、続きの撮影を開始する前に、前回の撮影時に最後に撮影されたシーンを参照し、続きをどのように撮影すべきかを判断することを目的として行われると想定できる。このため、本実施形態において、制御部１０８は、未完成テーマの再生が行われるときには、最後に撮影されたシーンを再生するシーンとして決定し、そのシーンの先頭テイクから再生を開始する。すなわち本実施形態の画像記録再生装置によれば、使用者は、未完成テーマにおいて最後に撮影待機状態となされていたシーンの内容を確認する場合に、該当するシーンを探すための操作及び該当するシーン内の最後のテイクを探すための操作を行う必要がない。このように、本実施形態の画像記録再生装置は、未完成テーマにおいて使用者が続きの撮影を行いたいシーンとそのシーン内の最後のテイクをサーチするための操作手数を省くことができ、使い勝手のよい操作性を実現可能である。
【００２７】
ステップＳ３０７では、制御部１０８は、ステップＳ３０４で検出されたシーンに属するテイクが存在しないことを通知するための表示画面を、表示部１０４に表示させる。ここで、ステップＳ３０４で最後に撮影待機状態であったシーンが、例えば図２（ｂ）の「看板を撮ろう」のシーンであった場合、制御部１０８は、このシーンには未撮影情報２１５が関連付けられており、テイクが存在していない。この場合、制御部１０８は、該当するシーンに属するテイクが存在しないことを通知する表示画面を表示部１０４に表示させる。そして、このステップＳ３０７の後、制御部１０８は、この図３（ａ）のフローチャートの制御処理を終了する。
【００２８】
なお、制御部１０８は、ステップＳ３０２において、以下のようにして完成テーマか未完成テーマかの判定を行ってもよい。例えば、管理データにおいて、未撮影のシーンに対して未撮影情報２１５を管理づけて記録しないような管理の仕方である場合などには、該当するテーマに含まれるシーンのうち、少なくとも１つのシーンにテイク情報が関連付けられていない場合に未完成と判定しても良い。すなわち、１つのテイクも撮影されていないシーンがある場合に未完成と判定しても良い。この場合、全てのシーンに対して少なくとも１つのテイクがある場合には完成と判定する。また、例えば、制御部１０８は、操作部１１１を介して使用者から完成指示が入力された場合、画像作品が完成していることを表す完成フラグを、その画像作品に付加する。完成フラグは、その画像作品のテーマ内に未撮影シーンが存在しているか否かによらずに付加可能となされている。そして、制御部１０８は、画像作品に完成フラグが付加されている場合には、その画像作品は完成テーマであると判定する。すなわち、制御部１０８は、完成フラグが付加されているテーマの画像作品については、そのテーマ内に未撮影シーンが存在したとしても、完成テーマであると判定する。もちろん、制御部１０８は、前述同様にテーマ内の全てのシーンについて最低１個のテイクが記録されている場合には完成テーマと判定することができる。また、制御部１０８は、操作部１１１を介して使用者から未完成指示が入力された場合、画像作品が未完成であることを表す未完成フラグを、その画像作品に付加してもよい。未完成フラグは、その画像作品のテーマ内の全てのシーンに対して最低１個のテイクが記録されているか否かによらずに付加可能である。この場合、制御部１０８は、画像作品に未完成フラグが付加されている場合には、その画像作品は未完成テーマであると判定する。すなわち、制御部１０８は、未完成フラグが付加されているテーマの画像作品については、そのテーマ内の全てに最低１個のテイクが記録されていたとしても、未完成テーマであると判定する。これら完成フラグと未完成フラグは、何れか一方のみが用いられてもよいし、両方が画像作品毎に使い分けられてもよい。
【００２９】
また例えば、制御部１０８は、テーマ内の各シーンで撮影すべきテイク数（シーンの完成に必要なカット数）がシナリオで予め決められている場合、テーマ内の各シーンのテイク数がシナリオで決められた数に達しているときに完成テーマと判定してもよい。
【００３０】
また例えば、制御部１０８は、テーマ内で最後に撮影されたテイクの撮影日時の情報を記録しておき、最後に撮影されたテイクの撮影日時と、画像記録再生装置１００内の図示しない時計機能による現在日時とを比較して、完成テーマであるか否か判定してもよい。例えば、制御部１０８は、最後に撮影されたテイクの撮影日時から現在日時までの期間が所定時間以上になるような所定の条件が満たされた場合に、そのテーマは完成テーマであると判定する。その他にも、例えば、制御部１０８は、最後に撮影されたテイクの撮影日時から現在日時までの間に、一例として日付跨ぎ、週跨ぎ、月跨ぎなどの所定の条件が満たされた場合に、そのテーマは完成テーマであると判定する。例えばテーマ「旅行」において、最後の撮影から１週間が経過していれば、旅行は既に終わっていると考えられるため、同じテーマに更にシーンを追加することは無いと想定できる。したがって、この場合、そのテーマの画像作品は未完成ではなく、完成したと判定する。このような所定の条件はテーマによって異なっていてよい。例えば「学校行事」のようなテーマの場合は、そのテーマの画像作品の撮影は、計画から準備、本番まで数日間を費やすと考えられる。この場合、制御部１０８は、例えば一ヶ月間の時間経過を条件にし、最後の撮影から一ヶ月が経過した場合に、その画像作品は完成テーマであると判定する。一方、「旅行」のようなテーマであれば、例えば１週間や２日間などのようにテイクの撮影間隔が開いてしまうことは想定しにくい。この場合、制御部１０８は、１週間や２日間等の時間経過を条件にし、最後の撮影から１週間や２日間等の時間が経過した場合に、その画像作品は完成テーマであると判定する。なお、制御部１０８は、使用者から再生開始の操作指示が入力された時点で前述のような所定の条件に基づく判定を行うのではなく、所定の条件が満たされた時点でテーマが完成したことを示す情報を記憶しておいてもよい。例えば、制御部１０８は、「旅行」のテーマの最後の撮影から１週間が経過して時点でテーマが完成したことを示す完成フラグを、そのテーマに関連付けて記録する。この場合、制御部１０８は、使用者からの再生開始の操作指示が入力された場合、テーマに完成フラグが付加されていたならば、そのテーマは完成テーマであると判定する。
【００３１】
その他、制御部１０８は、現在のカメラモードでの設定として、不揮発性メモリ１２１に記憶されているテーマのシーン（その時点でシナリオ撮影モードにした場合に、最初に設定されるテーマのシーン）に基づいて、完成テーマか未完成テーマか判断してもよい。
【００３２】
また、前述したフローチャートのような制御は、本実施形態の画像記録再生装置１００が、シナリオ撮影モードの待機状態であるときに、使用者から再生開始の操作指示が入力された場合にも適用可能である。
【００３３】
＜第２の実施形態＞
次に、第２の実施形態として、図４（ａ）のフローチャートを参照しながら、例えばシナリオ撮影モードでの撮影において、設定シーンに応じた適切なテイクが検出できなかった場合の制御部１０８による制御について説明する。なお、図４（ａ）において、ステップＳ４０１からステップＳ４０３までは、図３の（ａ）のステップＳ３０１からステップＳ３０３までと同じであるため、それらの説明については省略する。また、第２の実施形態の画像記録再生装置１００の構成は第１の実施形態と同様であるため、その説明も省略する。
【００３４】
制御部１０８は、ステップＳ４０２で未完成テーマであると判断した場合、制御処理をステップＳ４０４へ進める。ステップＳ４０４では、制御部１０８は、シナリオ撮影モードで現在撮影しようとして設定されているシーンを判別する。例えば前述した図２（ａ）の例を挙げた場合、「今日の天気」のシーンが設定されている。したがってこの例の場合、制御部１０８は、シナリオ撮影モードで現在撮影しようとして設定されているシーンが「今日の天気」のシーンであると判別する。このステップＳ４０４の後、制御部１０８は、制御処理をステップＳ４０５へ進める。
【００３５】
ステップＳ４０５では、制御部１０８は、ステップＳ４０４で判別されたシーンと同じシーンに属しているテイクが存在するか判定する。そして、制御部１０８は、テイクが存在すると判定した場合には、制御処理をステップＳ４０６へ進める。ステップＳ４０６では、制御部１０８は、そのテイクが属するシーンを、再生するシーンとして決定する。そして、制御部１０８は、そのシーンの先頭のテイクから再生を開始して、シナリオの順序に従った再生がなされるように制御する。例えば、図２（ｂ）の「今日の天気」のシーンを例に挙げると、制御部１０８は、このシーンに属している先頭のテイク４から再生を開始させ、テイク４の再生が終わると次のテイク５の再生を開始させる。そして、このシーンに属する全てのテイクの再生が終わると、制御部１０８は、この図４（ａ）のフローチャートの制御処理を終了する。
【００３６】
一方、制御部１０８は、ステップＳ４０４で判別されたシーンと同じシーンに属しているテイクが存在しないとステップＳ４０５において判定すると、制御処理をステップＳ４０７へ進める。ステップＳ４０７では、制御部１０８は、再生を開始するテイクを使用者が選択するためのユーザインターフェイス画像を、表示部１０４の画面に表示させる。図４（ｂ）は、そのユーザインターフェイス画像４２０の一例を示す図である。図４（ｂ）のユーザインターフェイス画像４２０には、「前シーンの先頭テイク」４２１と「後シーンの先頭テイク」４２２と「最新の撮影テイク」４２３の各選択エリアが表示される。この図４（ｂ）の各選択エリアは、何れかが使用者により画面上でタッチされることで選択可能となされている。このステップＳ４０７の後、制御部１０８は、制御処理をステップＳ４０８へ進める。
【００３７】
ステップＳ４０８では、制御部１０８は、ユーザインターフェイス画像４２０で使用者により例えば「前シーンの先頭テイク」４２１の選択エリアが選ばれたかどうかを判断する。制御部１０８は、ステップＳ４０８において使用者により「前シーンの先頭テイク」４２１の選択エリアが選ばれたと判断すると、制御処理をステップＳ４０９へ進める。一方、制御部１０８は、ステップＳ４０８において使用者により「前シーンの先頭テイク」４２１の選択エリアが選ばれなかった（他が選択された）と判断すると、制御処理をステップＳ４１０へ進める。
【００３８】
ステップＳ４０９では、制御部１０８は、シナリオ撮影モードにおいて設定されているシーンより前のシーンに関連付けられているテイクを検索する。そして、テイクを検索できた場合、制御部１０８は、そのテイクが属しているシーンを、再生するシーンとして決定して、そのシーンの先頭のテイクから再生を開始させる。このステップＳ４０９の後、制御部１０８は、この図４（ａ）のフローチャートの制御処理を終了する。
【００３９】
ステップＳ４１０では、制御部１０８は、ユーザインターフェイス画像４２０で使用者により例えば「後シーンの先頭テイク」４２２の選択エリアが選ばれたかどうかを判断する。制御部１０８は、ステップＳ４１０において使用者により「後シーンの先頭テイク」４２２の選択エリアが選ばれたと判断すると、制御処理をステップＳ４１１へ進める。一方、制御部１０８は、ステップＳ４１０において使用者により「後シーンの先頭テイク」４２２が選択されなかった（「最新の撮影テイク」４２３が選択された）と判断すると、制御処理をステップＳ４１２へ進める。
【００４０】
ステップＳ４１１では、制御部１０８は、シナリオ撮影モードにおいて設定されているシーンより後のシーンに関連付けられているテイクを検索する。そして、テイクを検索できた場合、制御部１０８は、そのテイクが属しているシーンを、再生するシーンとして決定して、そのシーンの先頭のテイクから再生を開始させる。このステップＳ４１１の後、制御部１０８は、この図４（ａ）のフローチャートの制御処理を終了する。
【００４１】
ステップＳ４１２では、制御部１０８は、シナリオ撮影モードにおいて設定されているシーンに関連付けられている最新のテイクを検索する。そして、テイクを検索できた場合、制御部１０８は、そのテイクが属するシーンを、再生するシーンとして決定して、そのシーンのテイクの再生を開始させる。このステップＳ４１２の後、制御部１０８は、この図４（ａ）のフローチャートの制御処理を終了する。
【００４２】
以上説明したように、第１、第２の実施形態の画像記録再生装置１００は、シナリオ撮影モードで使用者により画像作品が選択されてその再生開始の指示が入力された場合、その画像作品が完成されているときには先頭シーンの先頭テイクから再生を開始する。一方、画像作品が未完成である場合、第１、第２の実施形態の画像記録再生装置１００は、次の撮影に役立つテイクから再生を開始する。すなわち、本実施形態の画像記録再生装置１００は、画像作品の撮影進捗状況やカメラモードでのシナリオ撮影シーンの状況に応じた適切なテイクから再生することができる。このように、本実施形態の画像記録再生装置は、シナリオに基づいて撮影された画像を効率良く再生可能となっている。なお、前述の実施形態においては、画像作品が未完成である場合には、最後に撮影されたシーンの先頭テイクから再生を行う例を説明したが、シーンの末尾のテイクを含んでいれば、先頭テイクからでなくてもよい。すなわち、前述のステップＳ３０６、ステップＳ４０６での再生は、テーマの先頭テイクからではなく、テーマの末尾（最後）のテイク（すなわち、テーマ内の最新のテイク）だけを再生するようにしても良い。また、テーマの末尾（最後）のテイクを含む所定数(例えば３)のテイクを、順序に沿って再生しても良い。
【００４３】
前述した実施形態では画像記録再生装置が撮像装置(カメラ)である例を挙げたが、本実施形態は、動画像や静止画像からなる画像作品を再生できる様々な装置に適用可能である。例えば、カメラなどの撮像装置をリモート制御して画像作品を再生可能な、いわゆるスマートフォンやタブレットＰＣなどの携帯情報端末などにも適用可能である。また、本実施形態における画像作品は、動画像に限らず、シナリオに基づいて撮影された静止画像により構成される画像作品（再生するとスライドショーのように順次表示される画像作品）などであってもよい。その他にも、本実施形態における画像作品は、シナリオに基づいて静止画と動画が混在するように構成された画像作品であってもよい。更に他の例として、シナリオに基づいて作成された画像作品は、実写による動画像や静止画像だけでなく、コンピュータグラフィック等を用いて作成された動画像や静止画像であってもよい。また、シナリオに基づいて作成された画像作品は、実写による動画像や静止画像とコンピュータグラフィック等を用いて作成された動画像や静止画像が混在していてもよい。
【００４４】
なお、前述の図２（ａ）や図４（ａ）のフローチャートに示した制御は、１つのハードウェアが行ってもよいし、複数のハードウェアが処理を分担して行ってもよい。また、本発明は前述の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。また、上述した実施形態においては、本発明を画像記録再生装置に適用した場合を例に挙げて説明したが、本発明はこれらの例に限定されるものではなく、実施可能要件を満たし、本発明の最低限の前提を有する機器であれば様々な装置に適用可能である。例えば、撮像素子により前述の画像作品を撮影して再生表示可能な機器、連写撮影と画像作品の再生が可能な撮像装置、複数の画像を表示できる表示制御装置、画像を拡大表示できる表示制御装置、タッチ入力可能な表示制御装置などに、本発明は適用可能である。他にも、例えばネットワーク上の格納装置に記録されている画像作品を、ネットワークを介して読み出して前述の実施形態のように表示可能な通信端末装置などにも本発明は適用可能である。より具体的には、本発明は、例えばパーソナルコンピュータやＰＤＡ、携帯電話端末やスマートフォン、携帯型の画像ビューワ、ディスプレイを備えるプリンタ装置、デジタルフォトフレーム、音楽プレーヤ、ゲーム機、電子ブックリーダなどにも適用可能である。
【００４５】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出して実行する処理でも実現可能である。また、１以上の機能を実現する回路（例えば、ＡＳＩＣ）によっても実現可能である。
【００４６】
以上、本発明の好ましい実施形態について詳述したが、本実施形態は係る特定の実施形態に限定されるものではなく、特許請求の範囲に記載された本発明の要旨の範囲内において、種々の変形・変更が可能である。
【符号の説明】
【００４７】
１００  画像記録再生装置、１０１  撮像素子、１０２  カメラ信号処理回路、１０３  画像表示メモリ、１０４  表示部、１０５  画像信号処理回路、１０６  記録媒体Ｉ／Ｆ、１０７  記録媒体、１０８  制御部、１０９  メモリ、１１０  レンズ、１１１  操作部、１２０  ＣＰＵ、１２１  不揮発性メモリ、１２２  システムメモリ
【図１】
2016111437.tif 000003
【図２】
2016111437.tif 000004
【図３】
2016111437.tif 000005
【図４】
2016111437.tif 000006